(57)【要約】【課題】磁石を使ったアクセサリー留め具は便利ではあるが、強度不足と機能の点で信頼性に欠け、今日に至るまであまり普及されることがなかったが磁石の便利な点を生かすことと、これに強度と信頼性ある留め具を開発する事でアクセサリー業界に提供し、多くの人々がこの利便性を享受出来る様に普及させることである。【解決手段】アクセサリー留め具は２つの分割体からなり、一方の前記留め具には中央に埋め込まれたリング型磁石の輪から突起が形成されていて他方の前記留め具にもリング状磁石が埋め込まれ、この磁石の輪の中に前記突起が入り込み留め具にかかる力に対して充分な強度を与えているのと芯で力を受け止められるように工夫することによって傾きにる力の分散を防ぐことと、２分割された留め具１１にてそれぞれ線状素材９の処理が行えるようにするなど、アクセサリー留め具にありがちな煩雑な突起類を排除し、留め具自身がデザインの一部になるような形状と信頼性ある留め具となるように考慮した。【選択図】図３
2019084313.tif 000002
【特許請求の範囲】
【請求項１】
留め具は２つの分割体からなり、一方の前記留め具分割体には中心に埋め込まれたリング状磁石の輪の中から突き出た突起柱が形成されていることと、他方の前記留め具には中心に埋め込まれたリング状磁石の輪の中に前記突起柱が入り込む空間を有することを特徴とするアクセサリー留め具。
【請求項２】
前記留め具が合体した状態で左右に引っ張る力に対しては上下軸のズレによって、前記留め具の他方前記磁石の輪に収まる中央の前記突起柱が傾くことにより固定力が分散されてしまうことを防ぐことと、前記半分に分割されている留め具の一方の一部を盛り、他方の対となる一部を削ることによって引っ張る力に対して水平同一軸になるよう芯を揃えていることと、お互いにすき間なくかみ合うように加工されていることを特徴とする請求項１に記載のアクセサリー留め具。
【請求項３】
前記留め具内部にはそれぞれ線状素材の導入穴を設け、前記磁石を収める磁石室の横に該線状素材の末端を処理するための処理室を設けたことを特徴とする請求項１または２に記載のアクセサリー留め具。
【請求項４】
本発明は表面磁束密度が３６４ｍＴ以上の性能があるリング型ネオジュウム磁石を使用した請求項１〜３のいずれか１項に記載のアクセサリー留め具。
【請求項５】
結合した状態の前記留め具が他のアクセサリー構造物と略同じ形状となることを特徴とする請求項１〜４のいずれか１項に記載のアクセサリー留め具。
【発明の詳細な説明】
【技術分野】
【０００１】本発明はリング磁石と突起状柱によってロックされるアクセサリー留め具に関する物である。
【背景技術】
【０００２】従来のアクセサリーの付け外しはヒキワとアジャスターチェーン、又はクラスプ等の機械的に留める金具が一般的に使用されている。
磁石の磁力を利用した留め具が現れたのはフェライト磁石の時代からであるが、現在フェライト磁石より強力なネオジュウム磁石が現れても磁石による留め具があまり利用されないのは信頼性ある機能を持った有能なデザインが登場しないからである。
【先行技術文献】
【特許文献】
【０００３】
【特許文献１】特開２００８−６７７５７号公報
【特許文献２】特開２００４−３０５６７８号公報
【発明の概要】
【発明が解決しようとする課題】
【０００４】特許文献１では金属アレルギーに対する対処とはいえ磁石同士が単純に付いたり離れたし、ストッパーになる部分もなく、引張力に衝撃が加わると簡単に離れてしまう。
特許文献２では磁石を使って爪に引っかける構造になってはいるが現在アパレル関係の性能ネックレス許容耐久量５ｋｇ以上に対して心もとない設計である。
【課題を解決するための手段】
【０００５】本発明は、この様な従来の磁石を使ったアクセサリー留め具としての未完成性能を完成させるべく対処した設計を行うもので、またデザイン的要素にネオジュウム磁石の磁気力の効能を加えた実際の使用に信頼を持って耐えられる完成を目指すものである。【０００６】磁石の磁力だけで脱着する機構は論外であるが、磁力によって爪等に引っ掛ける方法は、アクセサリー留め具の構造として優れた形態である．ただ、強度と使い勝手を両立する方法が問題であった。【０００７】上記課題を解決するために請求項１記載の考案は留め具１１を貫く突起柱１に引張リ力１２を委託させた点にある。留め具１１は２分割されていて、片方に埋め込まれたリング型磁石６の輪から飛び出した突起柱１が磁力に導かれ一方に埋め込まれたリング型磁石６の輪に差し込まれ、磁石吸着力０．５ｋｇｆｘ２（磁石どうしの吸着力）で１ｋｇｆでロックされ構造体が形成される。その構造によって留め具１１に加わる左右の引張リ力１２に対応し、突起柱１とリング型磁石６が中心にあるのと磁石６も働いて留め具１１の装着が簡単である事と、離す時も本体横に彫り込まれた割溝１０に指を差し込む様にすると片手で容易に脱着が出来る。【０００８】上記請求項１でロックされた突起柱１に引張リ力１２を正しく伝えるためには突起柱１に対して垂直に保つ必要がある。（図４）そのために上下に分かれた留め具１１の分かれ目が同一水平軸となるため片方は盛り、一方の対側は削り、互いにかみ合うように導入穴４を設けた。（図５）この導入口形状が装着の時にすばやく留め具１１の方向を決めるのに役立っている。【０００９】請求項２で設けた導入穴４から取り込んだ線状素材９の始末のために未端処理室５を設けた。これにより従来の留め具にありがちな丸カン等の突起物をなくし、留め具１１がパール等のビーズと同一体となりシンプルなデザイン構成に貢献出来る。【００１０】上記請求項４，５により留め具の芯々で線状素材９が通せ、突起物がないことと留め具１１が半分に分かれることから磁石のＳＮ極性と柱側と受け入れ側を揃えておけば工具の必要もなく図８の様に繋ぎ合わせて用途の拡大やデザインの多様性に対応出来る【００１１】本発明で使用している輪型ネオジュウム磁石６は３６４ｍＴ（ミリテラス）の磁束密度があり、この留め具１１が身体にあたる部分は家庭用永久磁石磁気治療器としての利用が可能で、例えば留め具が首の後ろに当たれば血行促進をはかることができ、図８の様に何本ものマルチ組み合わせをすれば効果が増すことが期待出来る。
【発明の効果】
【００１２】請求項１で発明の磁石６を使ったアクセサリー留め具１１はリング型磁石を使用する事とリング型磁石の輪の形状をたくみに利用し構造体を形成し突起柱１に引張リ力１２を委託させる事で強大な引張リ力１２に対応できた。【００１３】請求項２で引張リ力１２に対して水平同一軸に保つ必要性から導入穴４設ける事により留め具１１の上下中心に引張リ力１２を持ってくる事により突起柱１に引張リ力１２を正しく伝える事が出来た。【００１４】留め具１１本体に末端処理室５を設けた事により線状素材を直接繋ぐことが出来、従来の留め具のような煩雑さがなく、シンプルなデザインを現実出来た。【００１５】  本発明での使用リング型ネオジュウム磁石６の家庭用永久磁石磁気治療器に依る効果、例えば首のだるさや肩こり等血行が滞る事によって起こる症例には効果が期待出来た。
【図面の簡単な説明】
【００１６】
【図１】本発明のアクセサリー留め具の組図
【図２】本発明の三面図（Ａ視、Ｂ視、Ｃ視）
【図３】突起柱１が磁石の吸着力によってロックされる様子
【図４】芯を外して張力による中心がずれる概念図
【図５】芯を合わせるための導入口の設営図（Ｂ視）
【図６】本発明によるＸ−Ｘ断面図
【図７】作業手順図
【図８】本発明のアクセサリー留め具を使って完成品の繋ぎ合わせの図
【発明を実施するための形態】
【００１７】  図１は本発明アクセサリー留め具１１の組図である。２分割体からなる突起柱１を有す（図下側）一方と突起柱１を受入れる側のリング型磁石６を収める他方が（図上側）リング型磁石６によって互いに突起柱１を構造体とすべき、それぞれの役割を実施する組み方の位置である。
また、次に示す三面図での説明において、三方から見た位置をそれぞれＡ、Ｂ、Ｃで表している。
【００１８】  図２は本発明、磁石を使ったアクセサリー留め具１１の三面図である。上Ａから見た上面図（Ａ）、下Ｂから見た正面図（Ｂ）、下右Ｃは導入穴４のある方から見た側面図（Ｃ）である。突起柱１が２分割された本体より出っ張っているのがわかる。
リング型磁石６が収まる磁石室２で、これは上下に分かれた本体とも同じ位置にあるリング磁石６の輪から、突起柱１が出て、一方の磁力と突起柱受入空間３に収まった磁石の輪に差し込まれ、磁力によって吸着ロックされる。
【００１９】  図２、４は線状素材９の末端の始末をするために処理室５に導く導入穴４である。導入穴４の上には導入穴４を開けるための穴が設置されるため鋭角突部７があり、一方の出っ張りが当たる部分鋭角凹部８は、出っ張りの形状に合わせて削られており、上下お互いにすき間なく、噛み合うように作られている。
【００２０】  図２、５は本体導入の下に設けられた処理室５で、これは線状素材９の末端処理の始末をする空間で導入穴４より約０．６ｍｍの穴によって繋がれている。
【００２１】  図２、右下側面図（Ｃからみた図）は導入穴４のある方向から見た導入穴４とその鋭角突部７を収める鋭角凹部８を描き表している。１０は上下同じ位置に設けた留め具１１を脱着する時に指を指し入れる案内時となる割溝である。
【００２２】  図３は磁石６の吸着力によって突起柱１が反対側（突起柱受入空間３と磁石室５に埋め込まれた）のリング型磁石６の輪の中に差し込まれて上下の磁石６の吸着力によってロックされ構造体が形成される様子を表している。この機構により左右の引っ張り力１２に対して強い強度が与えられる。
【００２３】  図４はアクセサリー留め具１１本体の張力が水平軸上でズレがある時に生じるであろう中心の傾きを表した図である。引っ張り力１２が強く加わる程この傾きは大きくなり、大きくなる程に突起柱１に加わる力が抜けていくことが理解出来る。故にアクセサリー留め具１１に加わるさの引っ張り力１２は水平同上軸に収まる事が大事だと言える。
【００２４】  図５はアクセサリー留め具１１に加わる左右の引っ張り力１２が水平軸上になければならない理由から２分割の分かれ目が芯を通る水平軸である事から導入穴４を通すために鋭角突部７と対する側の出っ張りを収める削り溝である鋭角凹部８を設けた状態を示す。これによって左右からの張力はアクセサリー留め具１１の芯を通り、水平同軸上に収める事が出来る。
【００２５】  図６は導入穴４から導入された線状素材９の末端処理をして留めるための空間である処理室５を描いたものである。磁石室２と繋がった狭い空間であるため、カシメ等の末端処理後、磁石６を入れて固定する手順を踏む。
【００２６】  図７実際の作業では２分割された突起柱１のある方から線状素材９の末端処理をし、もう一方の突起柱が差し込まれるリング型磁石６収める側で仕上げの始末をする。
以下ａ〜ｆの順で作業を進める。
ａ  突起柱１側の導入穴４から差し込まれ線状素材９の末端処理（例えばカシメる等        ）をする。
ｂ  上記線状素材９の末端処理を処理室５に収める。
ｃ  リング型磁石６を接着剤にて固定する。
ａ  ｂｃを処理後、線状素材９に任意のビーズ（アクセサリー構成物）を通す。
ｄ  他方の留め具１の導入穴４より上記アクセサリー構成物を通した線状素材９を通        し入れる。
ｅ  線状素材９の端を緩まないように引っ張りながらペンチ等工具の類を磁石室２及        び突起柱受入空間３に入れてカシメ等の処理を行う。そのため、工具の先端が入        る空間を持つ突起柱１の無い方で線状素材９の末端処理を行うのに適している。
ｆ  処理後、線状素材９末端処理部分を処理室５に収めてからリング型磁石６を接着        剤を使って固定する。
注意：ｃとｆで磁石の入れ方においてＳ極とＮ極の極性の方向を確認してから設置す          る注意が必要である。  特にマルチで繋げる機能があることから、磁石の極性          と留め具の固定には全ての極性を統一すべきである。
【００２７】  図８は完成したネックレスやブレスレットをマルチで組み合わせた例である。
ａ  １５ｃｍのブレスレット１３と４２ｃｍのネックレス１４を２本繋ぐと５７ｃｍ        のセミロングネックレスとなる。
ｂ  ４２ｃｍのネックレス１４を３本繋ぎ合わせて１８６ｃｍのロングネックレスに        なる。
この長さがあれば、２連、３連としても使えて、今、ファッション業界の流行の        スタイルである。
【符号の説明】
【００２８】１    突起柱
２    磁石室
３    磁石突起柱受入空間
４    導入穴
５    処理室
６    リング型磁石
７    鋭角突部
８    鋭角凹部
９    線状素材
１０  割溝
１１  アクセサリー留め具
１２  引っ張り力
１３  ブレスレット
１４  ネックレス
【図１】
2019084313.tif 000003
【図２】
2019084313.tif 000004
【図３】
2019084313.tif 000005
【図４】
2019084313.tif 000006
【図５】
2019084313.tif 000007
【図６】
2019084313.tif 000008
【図７】
2019084313.tif 000009
【図８】
2019084313.tif 000010
【手続補正書】
【提出日】平成30年4月4日(2018.4.4)
【手続補正１】
【補正対象書類名】特許請求の範囲
【補正対象項目名】全文
【補正方法】変更
【補正の内容】
【特許請求の範囲】
【請求項１】
留め具は２つの分割体からなり、一方の前記留め具分割体には中心に埋め込まれたリング状磁石の輪の中から突き出た突起柱が形成されていることと、他方の前記留め具分割体には中心に埋め込まれたリング状磁石の輪の中に前記突起柱が入り込む空間を有し、
一方の前記留め具分割体には鋭角突部が設けられ、他方の前記留め具分割体には鋭角凹部が設けられ、前記鋭角突部と前記鋭角凹部とが噛み合うようにされており、前記鋭角突部には線状素材を導入するための導入穴が設置されていることを特徴とするアクセサリー留め具。
【請求項２】
前記留め具が合体した状態で左右に引っ張る力に対しては上下軸のズレによって、前記留め具の他方前記磁石の輪に収まる中央の前記突起柱が傾くことにより固定力が分散されてしまうことを防ぐことと、前記半分に分割されている留め具の一方の一部を盛り、他方の対となる一部を削ることによって引っ張る力に対して水平同一軸になるよう芯を揃えていることと、お互いにすき間なくかみ合うように加工されていることを特徴とする請求項１に記載のアクセサリー留め具。
【請求項３】
前記留め具内部にはそれぞれ線状素材の導入穴を設け、前記磁石を収める磁石室の横に該線状素材の末端を処理するための処理室を設けたことを特徴とする請求項１または２に記載のアクセサリー留め具。
【請求項４】
本発明は表面磁束密度が３６４ｍＴ以上の性能があるリング型ネオジュウム磁石を使用した請求項１〜３のいずれか１項に記載のアクセサリー留め具。
【請求項５】
結合した状態の前記留め具が他のアクセサリー構造物と略同じ形状となることを特徴とする請求項１〜４のいずれか１項に記載のアクセサリー留め具。